(57)【特許請求の範囲】
【請求項１】
操作レバー等の各種機材が裏面に設けられた前傾扉を備えた筐体内に設けられ、該筐体内に設けられた固定のホースボックス又は該前傾扉の裏面上に取り付けられたホースリールに収納される消火用ホースの一次側に位置する消火栓装置のメンテナンス弁であって、
該メンテナンス弁は、消火剤の放出圧力を計ることにより消火栓装置の放出点検を行い、先端にノズル接続部を有するホース部分を備えた放出点検装置を接続する放出点検装置用接続口を備え、
放出点検の際に、該放出点検装置用接続口に該放出点検装置が接続され、該メンテナンス弁の二次側流路を消火用ホース側流路から放出点検装置側流路に切り換え可能なものであり、
該放出点検装置用接続口が、水平方向においては開扉状態の前傾扉のメンテナンス弁近傍側の側辺の側方の操作位置に向かい、該操作位置から放出点検の際に該放出点検装置が接続される如く設けられているものであることを特徴とする消火栓装置のメンテナンス弁。
【発明の詳細な説明】
【０００１】
【発明の属する技術分野】
この発明は、例えばビル等の建物やトンネル等に設置される消火栓装置におけるメンテナンス弁に関する。
【０００２】
【従来の技術】
例えばビル等の建物やトンネル等に設置される消火栓装置は、一般に基端部が消火剤供給源に連結され、先端部にノズルを有する消火用ホースを備えており、この消火用ホースを介してノズルより放出される消火剤により発生した火災を消火する如く用いられるものである。このような消火用ホースを備えた消火栓装置において、消火用ホースは、常時には筐体内に収納されており、火災発生時に筐体内より引き出されて用いられる。
【０００３】
上記の如き消火栓装置において、それが所定の機能及び性能を維持しているか否かの放出点検を行う際に、消火用ホースに通水させなくても放出点検を行うことができるように、筐体内の消火用ホースの一次側にメンテナンス用の弁を備えているものがある。このメンテナンス用の弁は、放出点検装置用の接続口を備え、弁の二次側流路を消火用ホース側の流路から放出点検装置が接続される側に切り換えられるようになっている。したがって、放出点検の際には、放出点検装置をメンテナンス用の弁の放出点検装置用接続口に接続し、メンテナンス用の弁の二次側流路を放出点検装置側に切り換えて、放出点検装置に通水させて圧力計等により放出点検を行うことで、消火用ホースに通水させなくても消火栓装置の放出点検を行うことができる。
【０００４】
一般に消火栓装置は、筐体の前面側から消火用ホースを引き出したり、或いは逆に消火用ホースを収納したりできるように、筐体の前面側に開口部を備えており、またその開口部を開閉自在にする前傾扉も備えているが、消火栓装置が前記メンテナンス用の弁を備えているものである場合、メンテナンス用の弁に放出点検装置を接続するには、前記前傾扉を開けて前記開口部から放出点検装置をメンテナンス用の弁に接続するようになっている。
【０００５】
【発明が解決しようとする課題】
【０００６】
従来の消火栓装置におけるメンテナンス弁は、その接続口が筐体の真正面に向かう如く設けられている。このため従来の消火栓装置におけるメンテナンス弁には、放出点検作業を行う際に以下の如き問題点がある。
【０００７】
（１）放出点検装置をメンテナンス弁の接続口に接続するときに、作業者は筐体の正面側から前傾扉越しに腕を伸ばした無理な姿勢で接続作業を行うこととなるので、その作業には困難が伴う。
（２）放出点検装置をメンテナンス弁の接続口に接続するときに、作業者が筐体の正面側から前傾扉越しに接続するのに代えて、前傾扉の側方から接続するようにした場合でも、メンテナンス弁の接続口は筐体の正面方向に向いているため、接続口に対してその正面方向から接続作業を行うことができない。したがって、作業者は無理な姿勢で接続作業を行うことになることに変わりはなく、その作業には依然として困難が伴う。
（３）放出点検装置をメンテナンス弁に接続し、メンテナンス弁から放出点検装置に通水させると、放出点検装置におけるホース部分は水圧により真直ぐに伸びようとするが、放出点検装置のホース部分が伸びようとする方向、即ちメンテナンス弁の接続口の正面方向には、前傾扉上の各種機材（操作レバーや、操作銘板等）が位置しており、それら機材が放出点検装置のホース部分が真直ぐに伸びようとするのを邪魔することとなる。このため、放出点検装置に通水させて放出点検を行う際には、前傾扉上の各種機材が通水状態にある放出点検装置の邪魔にならないように配慮しながら作業を行わなければならないので、その作業には困難が伴う。
【０００８】
この出願の発明は、上記事情に鑑み、放出点検装置の接続作業を容易にすることができる、消火栓装置のメンテナンス弁を得ることを目的とする。
【０００９】
また、この出願の発明は、放出点検装置による放出点検作業を容易にすることができる、消火栓装置のメンテナンス弁を得ることを目的とする。
【００１０】
上記目的を達成するこの発明について述べれば、それは、操作レバー等の各種機材が裏面に設けられた前傾扉を備えた筐体内に設けられ、該筐体内に設けられた固定のホースボックス又は該前傾扉の裏面上に取り付けられたホースリールに収納される消火用ホースの一次側に位置する消火栓装置のメンテナンス弁であって、該メンテナンス弁は、消火剤の放出圧力を計ることにより消火栓装置の放出点検を行い、先端にノズル接続部を有するホース部分を備えた放出点検装置を接続する放出点検装置用接続口を備え、放出点検の際に、該放出点検装置用接続口に該放出点検装置が接続され、該メンテナンス弁の二次側流路を消火用ホース側流路から放出点検装置側流路に切り換え可能なものであり、該放出点検装置用接続口が、水平方向においては開扉状態の前傾扉のメンテナンス弁近傍側の側辺の側方の操作位置に向かい、該操作位置から放出点検の際に該放出点検装置が接続される如く設けられているものであることを特徴とする消火栓装置のメンテナンス弁、である。
【００１１】
この発明によれば、消火栓装置の前傾扉のメンテナンス弁近傍側の側辺の側方から放出点検装置をメンテナンス弁の放出点検用接続口に接続する場合に、メンテナンス弁の放出点検用接続口は作業者にその正面を向けていることとなり、作業者はメンテナンス弁の放出点検用接続口の正面側から放出点検装置の接続作業をすることとなるので、作業のし易い（力を入れ易い）姿勢で接続作業をすることができる。
【００１２】
また、放出点検装置をメンテナンス弁の放出点検装置用接続口に接続してから、放出点検を行うべく、放出点検装置に通水させたときに、放出点検装置におけるホース部分は水圧により真直ぐに伸びようとするが、放出点検装置のホース部分が伸びようとする方向、即ちメンテナンス弁の放出点検装置用接続口の正面は水平方向において前傾扉のメンテナンス弁近傍側の側辺に向かう方向になっているので、前傾扉の裏面上に設けられている各種機材（操作レバーや、操作銘板等）が放出点検装置のホース部分が真直ぐに伸びようとするのを邪魔することはない。したがって、前傾扉上の各種機材が邪魔にならないように配慮しなくても、放出点検装置に通水させて放出点検作業を行うことができるので、その作業を容易に行うことができる。
【００１３】
なお、メンテナンス弁の放出点検装置用接続口の垂直方向における向きは、斜め上方から斜め下方までの間で任意であり、作業者による放出点検装置の接続作業が容易になるように設定すればよい。
【００１４】
【発明の実施の形態】
【００１５】
［第１の実施の形態］
この発明の第１の実施の形態を、図１及び図２により説明する（なお、図１は前傾扉４を開けた状態における消火栓装置１の正面図であり、図２は、図１のI−I線矢視図であり、文字列電光表示装置１５と音声発生装置１６の図示を省略したものである。）。
【００１６】
図において、１は消火栓装置、２はその筐体である。筐体２の前面側に前面開口部３が設けられており、筐体２は前面開口部３を開閉自在にする前傾扉４を備えている。
【００１７】
５は消火用ホースであり、先端にノズル６を有している。７は、消火用ホース５を収納するホースボックスである。
【００１８】
消火用ホース５の一次側には、放出点検用の接続口８ａを有するメンテナンス弁８、調圧弁９、消火栓弁１０等が設けられている。
【００１９】
前傾扉４の裏面４ａには、ノズル６の支持部６ａが設けられており、ノズル６は常時においては支持部６ａに支持されている。また、この裏面４ａには、消火栓弁１０の開閉操作をするための操作レバー１１や、操作者に消火栓装置の操作方法を案内するための操作銘板１２等が設けられている。
【００２０】
メンテナンス弁８は、消火栓装置１の放出点検を行うために設けられているものであり、その接続口８ａに図５に示す放出点検装置５０が接続されることとなる。このメンテナンス弁８の接続口８ａに放出点検装置５０の接続部５１を接続して、メンテナンス弁８の二次側の流路を放出点検装置５０側に切り換えて（放出点検装置５０の接続と共に流路が自動的に切り換えられるように構成されている。）、放出点検装置５０に通水させて放出点検（例えば圧力計５３により放出圧力を計る。）を行えるようになっている。なお、図５に示す放出点検装置５０はノズル接続部５４を備えており、このノズル接続部５４に消火栓装置１のノズル６を移設して放出点検を行うことにより、消火栓装置１のノズル６の点検も行うことができるようになっている。
【００２１】
このメンテナンス弁８は、その接続口８ａが水平方向においては前傾扉４のメンテナンス弁８近傍側の側辺４ｂに向かう如く設けられている。即ち、図２に詳細に示すように、接続口８ａの中心軸Ａは、水平方向においては筐体２の正面に垂直に向かう垂直線Ｙから角度θ分、前傾扉４のメンテナンス弁８近傍側の側辺４ｂ側に向かう如く設けられている。
【００２２】
このようにすることで、点検作業者が、前傾扉４のメンテナンス弁８側の側辺４ｂの側方の操作位置Ｓから放出点検装置５０をメンテナンス弁８の接続口８ａに接続するのに際し、接続口８ａは作業者に向いていることとなり、作業者は、接続口８ａの正面方向から放出点検装置５０の接続作業をすることとなるので、作業のし易い（力を入れ易い）姿勢で接続作業をすることができる。
【００２３】
また、放出点検装置５０をメンテナンス弁８に接続してから、放出点検を行うべく放出点検装置５０に通水させたときに、放出点検装置５０におけるホース部分５２は水圧により真直ぐに伸びようとするが、放出点検装置５０のホース部分５２が伸びようとする方向、即ちメンテナンス弁８の接続口８ａの正面方向は、水平方向において前傾扉４の側辺４ｂに向かう方向になっているので、前傾扉４の裏面４ａ上に設けられている操作レバー１１や操作銘板１２が、放出点検装置５０のホース部分５２が真直ぐに伸びようとするのを邪魔にするということはなく、したがって、放出点検装置５０による放出点検作業を容易に行うことができる。
【００２４】
なお、メンテナンス弁８は、その接続口８ａに放出点検装置５０の接続部５１をワンタッチ式に接続することが可能になっており、また接続と同時にメンテナンス弁の二次側は放出点検装置５０側に自動的に切り替えられるようになっている。
【００２５】
次に、消火栓装置１において、１５は文字列電光表示装置、１６は音声発生装置、１７は各操作部を指示する電光指示部の一例としての矢印電光表示部である。これら文字列電光表示装置１５、音声発生装置１６、矢印電光表示部１７ａ、１７ｂは、前記操作銘板１２とともに、操作者に対して消火栓装置１の操作方法を案内する操作方法案内手段における表示部を構成するものである。
【００２６】
なお、操作銘板１２には、各操作段階毎に操作方法をイラスト化したものが記載されており、各操作段階毎に電光表示部１８ａ、１８ｂを備えている。
【００２７】
文字列電光表示装置１５、音声発生装置１６、矢印電光表示部１７ａ、１７ｂ、操作銘板１２の電光表示部１８は、図示しない実行検出部が各操作部（例えば前傾扉４、ノズル６、操作レバー１１等）において操作が実行されたことを検出する毎に、次の操作を案内する如く図示しない表示手順制御部によって制御されている。したがって、例えば、操作者が前傾扉４を開けると、実行検出部がそれを検出し、文字列電光表示装置１５等の操作方法案内手段は、表示手順制御手段により制御されて、次の操作であるノズル６の操作を案内するようになっている。
【００２８】
前記の如く構成される前記文字列電光表示装置１５等の操作方法案内手段による操作方法の案内を前傾扉４を開放してからの操作手順に従って以下に説明する。
【００２９】
操作１：操作者が前傾扉４を開放する。→表示１：文字列電光表示装置１５と音声発生装置１６が「ノズルを持って下さい」という言葉を文字列と音声によりそれぞれ表示し、操作銘板１２のノズルを持つ操作のイラストを指示する電光表示部１８ａが点滅して、さらにノズル６を指示する矢印電光表示部１７ａが点滅し、次の操作がノズル６を持つ操作であることを案内するとともに、ノズル６の場所も案内する。
操作２：操作者がノズル６を持つ。→表示２：文字列電光表示装置１５と音声発生装置１６が「操作レバーを引いて下さい」という言葉を文字列と音声によりそれぞれ表示し、操作銘板１２の操作レバーを引く操作のイラストを指示する電光表示部１８ｂが点滅して、さらに操作レバー１１を指示する矢印電光表示部１７ｂが点滅し、次の操作が操作レバー１１を引く操作であることを案内するとともに、操作レバー１１の場所も案内する。
操作３：操作者が操作レバー１１を引く。→表示３：文字列電光表示装置１５と音声発生装置１６が「水が出ます ノズルをしっかり持って下さい」という言葉を文字列と音声によりそれぞれ表示する。
【００３０】
前記のように、文字列電光表示装置１５等の操作方法案内手段が操作者に消火栓装置１の操作方法を案内する。したがって、操作者はその案内に従って操作を行うことにより、容易に操作を行うことができる。さらに、文字列電光表示装置１５等の操作方法案内手段は、操作手順に従って各操作毎に操作方法を案内するものであり、また各操作の実行が検出される毎に次に行うべき操作を順次案内するものである。したがって、操作者は、操作方法案内手段に案内されて、正しい操作手順で操作を行うことができる如く誘導されるので、一連の操作手順を覚えなくても、正しい操作手順で容易に操作を行うことができ、操作手順を間違う等の誤操作をし難い。なお、電光指示部の一例としての矢印電光表示部の他に、操作部そのものを発光させるように電光部品を操作部に取り付けたり、操作部に強い光を当てるスポットライト等を用いるようにしてもよい。
【００３１】
また、文字列電光表示装置１５等からなる操作方法案内手段を、正しい操作手順に従った操作でなければ、各操作を行うことができないように構成してもよい。例えば、ノズル６を持つ操作を実行してから操作レバー１１を引く操作を実行するのが正しい手順とするならば、ノズル６を持つ操作が実行されない限り、操作レバー１１を引く操作が実行できないように構成してもよい。
【００３２】
［第２の実施の形態］
この発明の第２の実施の形態を図３及び図４により説明するが、前記第１の実施の形態と同一の構成要素については、同一図面符号を付してその説明を消略する（なお、図３は前掲扉４を開けた状態の消火栓装置２０を正面斜め上方から見た図であり、図４は前掲扉４を閉じた状態の消火栓装置２０の正面図である。）。
【００３３】
前記第１の実施の形態との相違点は、筐体２内に固定のホースボックス７に消火用ホース５を収納するのに代えて、前傾扉４の裏面４ａ上に取り付けられたホースリール２１に消火用ホース５を収納してなる消火栓装置２０に本発明を適用した点と、前傾扉４の表面４ｃに赤外線センサー２２を設け、その赤外線センサー２２が消火栓装置２０の前に人がいるのを感知すると、前傾扉４の取手２３が光り、筐体２内部の音声発生装置１６から「取手を引いて下さい 扉が前に倒れます」との音声による案内をするようにした点である。
【００３４】
メンテナンス弁８の接続口８ａは、前記第１の実施の形態と同様に本実施の形態においても、前傾扉４のメンテナンス弁８近傍の側辺４ｂに向けられているので、前傾扉４の裏面４ａ上にホースリール２１が取り付けられて裏面４ａ上に大きなスペースを占有していても、放出点検装置５０をメンテナンス弁８に接続して通水させたときにホースリール２１が邪魔になるということはない。
【００３５】
また、前傾扉４の表面４ｃに赤外線センサー２２を設け、前傾扉４の取手２３が光る様にすることで、操作者に前傾扉４を開けるところから操作方法を案内することができる。なお、赤外線センサー２２が消火栓装置２０の前で人を感知した時に操作方法を案内するようにしたが、図示しない火災感知器が発報し、且つ赤外線センサー２２で人を感知した時に、又は図示しない消火栓装置点検手段が操作され、且つ赤外線センサー２２で人を感知した時に操作方法の案内を行うようにしてもよい。後者は案内機能のチェックとして役立つ。また、電光を使用しない視覚表示手段を用いてもよい。例えば、操作すべき箇所の近くに目立つ配色の羽根車を回転する、或いは操作すべき部分そのものを目立つ程度に繰り返し動かすようにしてもよい。
【００３６】
この発明は上記の如く構成したので、消火栓装置の前傾扉のメンテナンス弁近傍側の側辺の側方から放出点検装置をメンテナンス弁の放出点検装置用接続口に接続する場合に、メンテナンス弁の放出点検装置用接続口は作業者にその正面を向けていることとなり、作業者はメンテナンス弁の放出点検装置用接続口の正面側から放出点検装置の接続作業をすることとなるので、作業のし易い（力を入れ易い）姿勢で接続作業をすることができる。
【図面の簡単な説明】
【図１】この発明の第１の実施の形態を示し、前掲扉を開けた状態における消火栓装置の正面図である。
【図２】図１のI−I線矢視図であり、文字列電光表示装置と音声発生装置の図示を省略したものである。
【図３】この発明の第２の実施の形態を示し、前掲扉を開けた状態の消火栓装置を正面斜め上方から見た図である。
【図４】図４は前掲扉を閉じた状態の消火栓装置の正面図である。
【図５】メンテナンス弁に接続する放出点検装置の正面図である。
【符号の説明】
１      消火栓装置
２      筐体
３      前面開口部
４      前掲扉
５      消火用ホース
６      ノズル
７      ホースボックス
８      メンテナンス弁
８ａ    放出点検装置用接続口
１１    操作レバー
１２    操作銘板
１５    文字列電光表示装置
１６    音声発生装置
１７ａ  矢印電光表示部
１７ｂ  矢印電光表示部
１８ａ  電光表示部
１８ｂ  電光表示部
【図１】
0004006724.tif 000002
【図２】
0004006724.tif 000003
【図３】
0004006724.tif 000004
【図４】
0004006724.tif 000005
【図５】
0004006724.tif 000006